(57)【要約】【課題】制御ファイルに記述されている制御情報と内蔵ＲＡＭに記憶される画像情報との間で不整合が生じるのを防止する。【解決手段】画像データと画像データに関する制御情報とが記憶されている外部メモリ９から当該画像データを読み込んで再生する機能を有する電子カメラであって、再生する最大再生枚数を検出する処理と、制御情報に関連付けされている画像データを選択し、第１のリスト情報を作成する処理と、検出された最大再生枚数情報と第１のリスト情報に対応する枚数情報とに基づいてその差分情報を生成し、当該差分情報に対応する数の画像データを所定の条件で選択し、当該選択された画像データに関する第２のリスト情報を作成する処理と、第１及び第２のリスト情報に基づいて再生する最大再生枚数のリスト情報である第３のリスト情報を作成する処理等を行うＡＳＩＣ６などを有する。【選択図】図１
2005303726.tif 000002
【特許請求の範囲】
【請求項１】
画像データと画像データに関する制御情報とが記憶されている記憶媒体から当該画像データを読み込んで再生する画像再生装置において、
上記画像再生装置で再生する最大再生枚数を検出する検出手段と、
上記制御情報に関連付けされている画像データを選択し、第１のリスト情報を作成する第１のリスト情報作成手段と、
上記検出された最大再生枚数情報と上記第１のリスト情報に対応する枚数情報とに基づいてその差分情報を生成し、当該差分情報に対応する数の画像データを所定の条件で選択し、当該選択された画像データに関する第２のリスト情報を作成する第２のリスト情報作成手段と、
上記第１及び第２のリスト情報に基づいて、再生する最大再生枚数のリスト情報である第３のリスト情報を作成する第３のリスト作成手段と、
を具備したことを特徴とする画像再生装置。
【請求項２】
最大再生枚数を指定する指定手段、
を更に有し、
上記検出手段は、当該指定手段によって指定された最大再生枚数を検出する、
ことを特徴とする請求項１記載の画像再生装置。
【請求項３】
上記最大再生枚数は、デフォルト値として予め設定された値である、
ことを特徴とする請求項１記載の画像再生装置。
【請求項４】
上記第２のリスト情報として格納される画像データの対応情報は、上記記媒体に格納される格納順位が最も新しい画像データを基点として上記差分情報に対応する数分遡って格納された画像データの対応情報である、
ことを特徴とする請求項１記載の画像再生装置。
【請求項５】
上記第１のリスト情報は格納順位が最も古い順に順次リスト化されたリスト情報であり、
上記第２のリスト情報は格納順位が最も新しい順に順次リスト化されたリスト情報である、
ことを特徴とする請求項１記載の画像再生装置。
【請求項６】
新たに記憶されるたびに上記第３のリスト情報を更新する、
ことを特徴とする請求項１記載の画像再生装置。
【請求項７】
上記第１のリスト情報に登録されている画像は、新たに記憶されて上記第３のリスト情報を更新する際に、上記第３のリスト情報から削除されない、
ことを特徴とする請求項６記載の画像再生装置。
【発明の詳細な説明】
【技術分野】
【０００１】
本発明は、画像データと画像データに関する制御情報とが記憶されている記憶媒体から当該画像データを読み込んで再生する画像再生装置に関する。
【背景技術】
【０００２】
従来、画像データが記憶されている外部メモリが接続されているときに、その画像データに係る画像情報を内蔵ＲＡＭに保存しておき、その画像情報を基に外部メモリから画像データを読み込んで再生することを特徴としたＤＳＣ（デジタルスチルカメラ）がある。ここで、画像情報とは、外部メモリ上の当該画像データの記録位置や属性（リードオンリー等）などの情報を含む情報のことである。
【０００３】
このようなＤＳＣにおいて、近年においては、外部メモリの大容量化が進んでおり、それに伴い外部メモリに記憶可能な画像データ数も飛躍的に増加していることから、限りがある内蔵ＲＡＭに、外部メモリに記憶されている全ての画像データに係る画像情報を記憶することが困難になってきている。
【０００４】
そこで、内蔵ＲＡＭに記憶する画像情報の最大数を、ユーザの操作によって決定することを特徴としたＤＳＣがある。このＤＳＣでは、内蔵ＲＡＭに記憶する画像情報の最大数が設定されると、その設定数分以上の画像データが外部メモリに記憶されていたとしても、コマ番号の降順方向の設定数分の画像データに係る画像情報のみが内蔵ＲＡＭに記憶されるものである。
【０００５】
図５は、このＤＳＣにおいて、内蔵ＲＡＭに記憶する画像情報の最大数として３０００が設定されたときの一例を説明する図である。同図において、上段は、外部メモリに記憶されている画像データのイメージ図であり、外部メモリに４０００個の画像データが記憶されていることを示している。また、下段は、内蔵ＲＡＭに記憶された画像情報のイメージ図であり、内蔵ＲＡＭに、外部メモリのコマ番号の降順方向の設定数分の画像データに係る画像情報として、外部メモリのコマ番号１００１乃至４０００の３０００個分の画像データに係る画像情報が、コマ番号１乃至３０００に係る画像情報として記憶されたことを示している。
【０００６】
尚、このＤＳＣにおいて、設定数分以上の画像データが外部メモリに記憶されていない場合には、外部メモリに記憶されている全ての画像データに係る画像情報が内蔵ＲＡＭに記憶される。
また、従来、外部メモリに制御ファイルなるファイルを記憶し、それを読み込むことで、画像に対して情報を付加する手法は既に公知のとおりである。制御ファイルの一例であるＤＰＯＦ（ Digital Print Order Format ）ファイルの場合には、ユーザが印刷したい画像を選択し、その画像ファイル名等を制御情報としてＤＰＯＦファイルに記述して外部メモリに記憶する。そして、ＤＰＯＦファイルに記述されている制御情報に関連する画像データの画像をＤＳＣが表示する際には、例えば特別なアイコンを付加して表示する。尚、制御ファイルとしては、その他、ＭＰＶ（ MusicPhotoVideo ）ファイル等もある。
【０００７】
一方、特許文献１には、ファイル番号の少なくとも一部とコマ番号とを一致させて、撮影者において、例えばプリントを依頼する際における指定画像の間違いをなくすようにした電子カメラ等が記載されている。
【特許文献１】特開２００１−３３３３６７号公報
【発明の開示】
【発明が解決しようとする課題】
【０００８】
ところで、前述の内蔵ＲＡＭに記憶する画像情報の最大数を設定可能なＤＳＣにおいて、前述の制御ファイルが記憶された外部メモリが接続されている場合には、その制御ファイルに記述された制御情報に関連する画像データに係る画像情報が内蔵ＲＡＭに記憶されない場合がある。
【０００９】
図６は、その一例を説明する図である。尚、同図は、図５に示したものに対応するものであるが、図６においては、制御ファイルに記述されている制御情報に関連する画像データ及びその画像データに係る画像情報を黒色で示している。
同図に示すように、内蔵ＲＡＭに記憶する画像情報の最大数として図５の例と同様に３０００が設定された場合、外部メモリのコマ番号１乃至１０００の画像データに係る画像情報は内蔵ＲＡＭに記憶されないこととなるので、そのコマ番号１乃至１０００の画像データの中に、制御ファイルに記述されている制御情報に関連する画像データ（黒色部分）が含まれていたとしても、その画像データに係る画像情報は内蔵ＲＡＭに記憶されないこととなる。
【００１０】
従って、このような場合には、制御ファイルに記述されている制御情報と内蔵ＲＡＭに記憶される画像情報との間で不整合が生じることとなり、ユーザは制御ファイルに記述されている制御情報の一部を確認することができないこととなる。
このような問題は、前述の特許文献１に記載されるものによっては解決することができない。
【００１１】
本発明は、上記実情に鑑み、制御ファイルに記述されている制御情報と内蔵ＲＡＭに記憶される画像情報との間で不整合が生じるのを防止する画像再生装置を提供することを目的とする。
【課題を解決するための手段】
【００１２】
上記目的を達成するため、本発明の第１の態様に係る画像再生装置は、画像データと画像データに関する制御情報とが記憶されている記憶媒体から当該画像データを読み込んで再生する画像再生装置において、上記画像再生装置で再生する最大再生枚数を検出する検出手段と、上記制御情報に関連付けされている画像データを選択し、第１のリスト情報を作成する第１のリスト情報作成手段と、上記検出された最大再生枚数情報と上記第１のリスト情報に対応する枚数情報とに基づいてその差分情報を生成し、当該差分情報に対応する数の画像データを所定の条件で選択し、当該選択された画像データに関する第２のリスト情報を作成する第２のリスト情報作成手段と、上記第１及び第２のリスト情報に基づいて、再生する最大再生枚数のリスト情報である第３のリスト情報を作成する第３のリスト作成手段と、を具備した構成である。
【００１３】
本構成によれば、上記画像再生装置において、検出手段により上記画像再生装置で再生する最大再生枚数が検出され、第１のリスト情報作成手段により、上記制御情報に関連付けされている画像データが選択され、第１のリスト情報が作成され、第２のリスト情報作成手段により、上記検出された最大再生枚数情報と上記第１のリスト情報に対応する枚数情報とに基づいてその差分情報が生成され、当該差分情報に対応する数の画像データが所定の条件で選択され、当該選択された画像データに関する第２のリスト情報が作成され、第３のリスト作成手段により、上記第１及び第２のリスト情報に基づいて、再生する最大再生枚数のリスト情報である第３のリスト情報が作成される。
【００１４】
本発明の第２の態様に係る画像再生装置は、上記第１の態様において、最大再生枚数を指定する指定手段、を更に有し、上記検出手段は、当該指定手段によって指定された最大再生枚数を検出する、構成である。
本構成によれば、更に、指定手段により最大再生枚数が指定され、上記検出手段により、当該指定手段によって指定された最大再生枚数が検出される。
【００１５】
本発明の第３の態様に係る画像再生装置は、上記第１の態様において、上記最大再生枚数は、デフォルト値として予め設定された値である、構成である。
本構成によれば、上記最大再生枚数は、デフォルト値として予め設定された値となる。
本発明の第４の態様に係る画像再生装置は、上記第１の態様において、上記第２のリスト情報として格納される画像データの対応情報は、上記記媒体に格納される格納順位が最も新しい画像データを基点として上記差分情報に対応する数分遡って格納された画像データの対応情報である、構成である。
【００１６】
本構成によれば、上記第２のリスト情報として格納される画像データの対応情報は、上記記媒体に格納される格納順位が最も新しい画像データを基点として上記差分情報に対応する数分遡って格納された画像データの対応情報となる。
本発明の第５の態様に係る画像再生装置は、上記第１の態様において、上記第１のリスト情報は格納順位が最も古い順に順次リスト化されたリスト情報であり、上記第２のリスト情報は格納順位が最も新しい順に順次リスト化されたリスト情報である、構成である。
【００１７】
本構成によれば、上記第１のリスト情報は格納順位が最も古い順に順次リスト化されたリスト情報となり、上記第２のリスト情報は格納順位が最も新しい順に順次リスト化されたリスト情報となる。
本発明の第６の態様に係る画像再生装置は、上記第１の態様において、新たに記憶されるたびに上記第３のリスト情報を更新する、構成である。
【００１８】
本構成によれば、新たに記憶されるたびに上記第３のリスト情報が更新される。
本発明の第７の態様に係る画像再生装置は、上記第６の態様において、上記第１のリスト情報に登録されている画像は、新たに記憶されて上記第３のリスト情報を更新する際に、上記第３のリスト情報から削除されない、構成である。
【００１９】
本構成によれば、上記第１のリスト情報に登録されている画像は、新たに記憶されて上記第３のリスト情報が更新される際に、上記第３のリスト情報から削除されない。
【発明の効果】
【００２０】
本発明によれば、制御ファイルに記述されている制御情報に関連する画像データに係る画像情報を優先的に内蔵ＲＡＭに記憶することができるので、制御ファイルに記述されている制御情報と内蔵ＲＡＭに記憶される画像情報との間で不整合が生じるのを防止することができる。
【発明を実施するための最良の形態】
【００２１】
以下、本発明の実施例を図面を参照しながら説明する。
図１は、本発明の一実施例に係る画像再生装置を適用した電子カメラの主要構成を示す図である。
同図において、点線で囲まれた撮影レンズ系１は、撮影レンズ部２，撮像素子３，撮影回路４，及びＡ／Ｄ部５等を有している。この撮影レンズ系１において、撮影レンズ部２によって結像された被写体像は、撮像素子３により電気信号に光電変換され、更に撮影回路４により所定の撮影処理が施された後、Ａ／Ｄ部５によりＡ／Ｄ変換される。そして、このようにして得られた画像データは、ＡＳＩＣ（ Application Specific Integrated Circuit ）６により所定の画像処理が施された後、画像処理部７により所定の圧縮処理が施され、Ｉ／Ｆ８を介して、当該電子カメラに接続されている着脱式の外部メモリ９に記憶される。
【００２２】
尚、ＡＳＩＣ６は、内部にカメラプログラムを記憶したＲＯＭとＣＰＵを有しており、ＣＰＵがカメラプログラムを読み出し実行することによって、当該電子カメラ全体の動作が制御されるようになっている。
一方、着脱メモリ９に記憶された画像データは、必要に応じてＩ／Ｆ８を介して読み出され、画像処理部７により所定の伸長処理が施された後、ＡＳＩＣ６により所定の画像処理が施され、表示部１０によってその画像が表示される。
【００２３】
尚、表示部１０には、その他必要に応じて各種の設定画面等も表示される。
また、内蔵ＲＡＭ１１は、Ａ／Ｄ部５によりＡ／Ｄ変換された画像データの一時記憶用として、また画像処理部７による処理中の画像データの一時記憶用として、更にＡＳＩＣ６による制御処理の実行のためのワークエリアとして使用されるメモリであり、後述する画像情報もこれに記憶される。
【００２４】
キー入力部１２は、表示部１０に表示された設定画面上の設定を変更する際等に使用されるＬＥＦＴ，ＲＩＧＨＴ，ＵＰ，ＤＯＷＮの各ボタンや、その設定を確定する際等に使用されるＯＫボタン等、ユーザにより操作される各種ボタンやキー等を有し、ユーザからの各種指示を受け付けＡＳＩＣ６へ通知するものである。例えば、このキー入力部１２に対して所定の操作を行うことにより、ユーザは当該電子カメラで再生する最大再生枚数を指定することできるようになっている。
【００２５】
図２は、最大再生枚数を指定する際の設定画面が表示部１０に表示されたときの当該電子カメラの背面図である。
同図において、ボタン１２ａ，１２ｂ，１２ｃ，１２ｄ，１２ｅは、前述のＬＥＦＴ，ＲＩＧＨＴ，ＵＰ，ＤＯＷＮの各ボタンとＯＫボタンである。また、１３はファインダーである。
【００２６】
前述のように、ユーザがキー入力部１２に対して所定の操作を行うと、同図の最大再生枚数を指定する際の設定画面が表示部１０に表示される。ここで、ユーザがＬＥＦＴボタン１２ａ又はＲＩＧＨＴボタン１２ｂを押下することにより、設定画面上のカーソル１４が左右に移動し、所望の桁へカーソル１４を移動させることができるようになっている。また、ＵＰボタン１２ｃ又はＤＯＷＮボタン１２ｄを押下することにより、カーソル１４のある桁の数値が上下し、その桁に所望の数値を指定することができるようになっている。そして、このようにしてユーザが所望の最大再生枚数を指定した後にＯＫボタン１２ｅを押下すると、その最大再生枚数が確定され、それが当該電子カメラに設定されるようになっている。例えば、同図の例においてＯＫボタン１２ｅが押下された場合には、最大再生枚数として３０００が設定される。
【００２７】
尚、この電子カメラでは、最大再生枚数のデフォルト値として所定値が予め設定されており、ユーザが最大再生枚数の指定を行わなかった場合には、そのデフォルト値が最大再生枚数として設定されるようになっている。
次に、この電子カメラの動作として、外部メモリ９に記憶されている画像データに係る画像情報を内蔵ＲＡＭ１１に記憶するときの動作を、図３を用いて説明する。尚、本動作は、ＡＳＩＣ６において、ＣＰＵがカメラプログラムを読み出し実行することによって行われる動作の一つである。
【００２８】
図３は、その動作に係るフローチャートを示す図である。
本動作が開始すると、まず、設定されている最大再生枚数を検出し、その最大再生枚数をＮに代入する。すなわち、前述のようにしてユーザにより設定された最大再生枚数、或いは、ユーザによる最大再生枚数の設定がなかった場合には前述のデフォルト値がＮに代入される（Ｓ１）。
【００２９】
続いて、当該電子カメラに接続されている外部メモリ９に制御ファイルが記憶されているか否かを判定し（Ｓ２）、その判定結果がＹｅｓの場合にはＳ３へ進んで制御ファイル有りの場合の処理を開始し、その判定結果がＮｏの場合にはＳ９へ進んで制御ファイル無しの場合の処理を開始する。
【００３０】
ここで、Ｓ２の判定結果がＹｅｓの場合（制御ファイル有りの場合）には、まず、外部メモリ９に記憶されている制御ファイルを読み出す（Ｓ３）。そして、その制御ファイルを解析し、制御ファイルに記述されている制御情報に関連する画像データであって画像情報をまだ取得していない一つの画像データのパス（外部メモリ９上の記録位置を示すもの）を取得し、そのパスから、その画像データに係る画像情報を取得し、その画像情報を内蔵ＲＡＭ１１に記憶し、Ｎをデクリメントする（Ｎ←Ｎ−１）、といった一連の処理を、制御ファイルに記述されている制御情報に関連する全ての画像データの各々について行う（Ｓ４乃至８）。但し、制御ファイルに記述されている制御情報に関連する画像データの総数が、最大再生枚数よりも多い場合には、最大再生枚数分の画像データの各々についてのみ、この一連の処理が行われる。
【００３１】
尚、この一連の処理を繰り返す処理（Ｓ４乃至８）は、制御ファイルに記述されている制御情報に関連付けされている画像データを選択し、第１のリスト情報を作成する処理を含むものでもある。ここで、第１のリスト情報とは、前述のＳ４乃至８の処理によって内蔵ＲＡＭ１１に記憶された画像情報、すなわち制御ファイルに記述されている制御情報に関連する画像データに係る画像情報のことである。この第１のリスト情報は、例えば、外部メモリ９への画像データの格納順位が最も古い順に順次リスト化されたリスト情報とすることも可能である。
【００３２】
続いて、Ｎの値が０よりも大きければ（Ｎ＞０）、外部メモリ９に記憶されている画像データのうち、制御ファイルに記述されている制御情報に関連する画像データ以外であって画像情報をまだ取得していない一つの画像データに係る画像情報を取得し、その画像情報を内蔵ＲＡＭ１１に記憶し、Ｎをデクリメントする（Ｎ←Ｎ−１）、といった一連の処理を、Ｎの値が０になるまで繰り返す（Ｓ９乃至１２）。但し、Ｓ８からＳ９へ処理が移行したときに、既にＮの値が０である場合には、Ｓ９乃至１２の処理は行われず、本フローは終了する。
【００３３】
尚、この一連の処理を繰り返す処理（Ｓ９乃至１２）は、検出された最大再生枚数情報と第１のリスト情報に対応する枚数情報とに基づいてその差分情報を生成し、当該差分情報に対応する数の画像データを所定の条件で選択し、当該選択された画像データに関する第２のリスト情報を作成する処理を含むものでもある。ここで、第２のリスト情報とは、前述のＳ９乃至１２の処理によって内蔵ＲＡＭ１１に記憶された画像情報、すなわち制御ファイルに記述されている制御情報に関連する画像データ以外の画像データに係る画像情報のことである。この第２のリスト情報として格納（記憶）される画像データに係る画像情報は、例えば、外部メモリ９に格納される格納順位が最も新しい画像データを基点として上記差分情報に対応する数分遡って格納された画像データに係る画像情報とすることも可能である。或いは、第２のリスト情報は、例えば、外部メモリ９への画像データの格納順位が最も新しい順に順次リスト化されたリスト情報とすることも可能である。
【００３４】
一方、Ｓ２の判定処理において、その判定結果がＮｏの場合（制御ファイル無しの場合）には、前述のＳ９乃至１２の処理が行われる。但し、この場合には、単に、外部メモリ９に記憶されている、画像情報をまだ取得していない一つの画像データに係る画像情報を取得し、その画像情報を内蔵ＲＡＭ１１に記憶し、Ｎをデクリメントする（Ｎ←Ｎ−１）、といった一連の処理を、Ｎの値が０になるまで繰り返す（Ｓ９乃至１２）。
【００３５】
以上の動作により、制御ファイルが記憶された外部メモリが接続されている場合に、設定された最大再生枚数分の画像データに係る画像情報を内蔵ＲＡＭ１１に記憶する際には、制御ファイルに記述されている制御情報に関連する画像データに係る画像情報が優先的に内蔵ＲＡＭ１１に記憶されるようになる。
【００３６】
尚、制御ファイルが記憶された外部メモリが接続されている場合に本動作によって内蔵ＲＡＭ１１に記憶された画像情報は、第１及び第２のリスト情報に基づいて作成された第３のリスト情報でもある。
次に、本動作の具体例を図４を用いて説明する。
【００３７】
図４は、制御ファイルが記憶された外部メモリ９が接続され、最大再生枚数として３０００が設定されているときに、前述の図３に示した動作が行われることによって内蔵ＲＡＭ１１に３０００個の画像情報が記憶されたときの一例を説明する図である。
図４において、上段は、外部メモリ９に記憶されている画像データのイメージ図であり、外部メモリ９に４０００個の画像データが記憶されていることを示している。また、上段の黒色部分は、制御ファイルに記述されている制御情報に関連する画像データを示している。
【００３８】
下段は、図３に示した動作によって内蔵ＲＡＭ１１に記憶された画像情報のイメージ図であり、制御ファイルに記述されている制御情報に関連する全ての画像データに係る画像情報（下段の黒色部分）と、それ以外の画像データに係る画像情報とからなる、３０００個の画像情報が記憶されたことを示している。
【００３９】
ここで、内蔵ＲＡＭ１１に記憶された３０００個の画像情報は、前述の第３のリスト情報でもある。また、このうちの、制御ファイルに記述されている制御情報に関連する全ての画像データに係る画像情報（黒色部分）は、前述の第１のリスト情報でもあり、それ以外の画像データに係る画像情報は、前述の第２のリスト情報でもある。
【００４０】
このように、制御ファイルに記述されている制御情報に関連する画像データに係る画像情報が優先的に内蔵ＲＡＭ１１に記憶されるようになるので、図６に示した例とは異なり、図４に示した例では、制御ファイルに記述されている制御情報に関連する全ての画像データに係る画像情報が内蔵ＲＡＭ１１に記憶されるようになる。従って、ユーザは、制御ファイルに記述されている制御情報を全て確認することができる。
【００４１】
以上、本実施例によれば、制御ファイルに記述されている制御情報に関連する画像データに係る画像情報を優先的に内蔵ＲＡＭに記憶することができるので、制御ファイルに記述されている制御情報と内蔵ＲＡＭ１１に記憶される画像情報との間で不整合が生じるのを防止することができる。
【００４２】
尚、本実施例において、外部メモリ９に新たに画像データが記憶されるたびに、前述の第３のリスト情報を更新するように構成することも可能である。また、この場合、外部メモリ９に新たに画像データが記憶されて第３のリスト情報を更新する際には、前述の第１のリスト情報に登録されている画像（画像情報）を、第３のリスト情報から削除しないように構成することも可能である。
【００４３】
また、本実施例では、本発明に係る画像再生装置を電子カメラに適用したが、例えばＰＤＡ，ＰＨＳ，携帯電話器等の装置に適用することも可能であり、また、画像表示装置そのものに適用しても良いのは勿論のことである。
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００４４】
【図１】本発明の一実施例に係る画像再生装置を適用した電子カメラの主要構成を示す図である。
【図２】最大再生枚数を指定する際の設定画面が表示部に表示されたときの電子カメラの背面図である。
【図３】外部メモリに記憶されている画像データに係る画像情報を内蔵ＲＡＭに記憶するときの動作に係るフローチャートを示す図である。
【図４】制御ファイルが記憶された外部メモリが接続され、最大再生枚数として３０００が設定されているときに、図３に示した動作が行われることによって内蔵ＲＡＭに３０００個の画像情報が記憶されたときの一例を説明する図である。
【図５】ＤＳＣに、内蔵ＲＡＭに記憶する画像情報の最大数として３０００が設定されたときの一例を説明する図である。
【図６】制御ファイルに記述された制御情報に関連する画像データに係る画像情報が内蔵ＲＡＭに記憶されない場合の一例を説明する図である。
【符号の説明】
【００４５】
１      撮影レンズ系
２      撮影レンズ
３      撮像素子
４      撮影回路
５      Ａ／Ｄ部
６      ＡＳＩＣ
７      画像処理部
８      Ｉ／Ｆ
９      外部メモリ
１０    表示部
１１    内蔵ＲＡＭ
１２    キー入力部
１３    ファインダー
１４    カーソル
【図１】
2005303726.tif 000003
【図２】
2005303726.tif 000004
【図３】
2005303726.tif 000005
【図４】
2005303726.tif 000006
【図５】
2005303726.tif 000007
【図６】
2005303726.tif 000008